(57)【特許請求の範囲】
【請求項１】
ワイヤレス通信のための方法であって、前記方法が、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを備える、方法。
【請求項２】
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、請求項１に記載の方法。
【請求項３】
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、請求項１に記載の方法。
【請求項４】
前記ｅＩＭＴＡ構成情報を生成することが、
ソースセル識別情報とワイヤレスネットワークトポロジー情報とに基づいて仮想セル識別情報を推定することと、
前記推定された仮想セル識別情報に基づいて前記ｅＩＭＴＡ構成情報を生成することとを含む、請求項１に記載の方法。
【請求項５】
前記ハンドオーバが完了した後に、前記推定された仮想セル識別情報が正しくないと決定することと、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信することとをさらに備える、請求項４に記載の方法。
【請求項６】
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しくないと前記決定することが、前記ＣＳＩ−ＲＳ測定報告に少なくとも部分的に基づく、請求項５に記載の方法。
【請求項７】
ワイヤレス通信のための方法であって、前記方法は、
ユーザ機器（ＵＥ）によって、ターゲットセルへの前記ＵＥのハンドオーバを実行するためのハンドオーバコマンドを受信することと、ここにおいて、前記ハンドオーバコマンドは、前記ＵＥがレイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に前記ＵＥによって使用されるべき物理ランダムアクセスチャネル（ＰＲＡＣＨ）リソースを決定するために、前記ＵＥによって、前記ＴＤＤ構成情報を採用することと、
前記ハンドオーバが完了した後に、前記レイヤ１シグナリングによって前記ターゲットセルから前記新しいＴＤＤ構成情報を受信するために、前記ＵＥによって、前記ｅＩＭＴＡ構成情報を採用することとを備える、方法。
【請求項８】
前記ＵＥによって、前記ハンドオーバが完了した後に前記ターゲットセルから、補正されたｅＩＭＴＡ構成情報を含んでいる無線リソース制御（ＲＲＣ）接続再構成メッセージを受信することをさらに備え、
ここにおいて、前記新しいＴＤＤ構成情報を受信するために前記ｅＩＭＴＡ構成情報を採用することが、前記新しいＴＤＤ構成情報を受信するために前記補正されたｅＩＭＴＡ構成情報を採用することを含む、請求項７に記載の方法。
【請求項９】
ワイヤレス通信のための装置であって、前記装置は、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成するための手段と、
前記ターゲットセルによって、前記ターゲットセルへの前記ＵＥのハンドオーバを実行するためのハンドオーバコマンドを生成するための手段と、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信するための手段と、
前記ターゲットセルによって、前記ハンドオーバが完了した後にレイヤ１シグナリングによって前記新しいＴＤＤ構成情報を前記ＵＥに送信するための手段とを備える、装置。
【請求項１０】
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、請求項９に記載の装置。
【請求項１１】
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、請求項９に記載の装置。
【請求項１２】
前記ｅＩＭＴＡ構成情報を生成するための前記手段は、
ソースセル識別情報とワイヤレスネットワークトポロジー情報とに基づいて仮想セル識別情報を推定するための手段と、
前記推定された仮想セル識別情報に基づいて前記ｅＩＭＴＡ構成情報を生成するための手段と、
前記ハンドオーバが完了した後に、前記推定された仮想セル識別情報が正しくないと決定するための手段と、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信するための手段と、
前記ハンドオーバが完了した後に前記ＵＥから、チャネル状態情報基準信号（ＣＳＩ−ＲＳ）測定報告を含んでいるメッセージを受信するための手段とを含み、
ここにおいて、前記推定された仮想セル識別情報が正しくないと決定するための前記手段は、前記ＣＳＩ−ＲＳ測定報告に少なくとも部分的に基づいて、前記推定された仮想セル識別情報が正しくないと決定するための手段を含む、請求項９に記載の装置。
【請求項１３】
前記ハンドオーバが完了した後に、前記ＵＥのサウンディング基準信号（ＳＲＳ）を測定するための手段をさらに備え、
ここにおいて、前記推定された仮想セル識別情報が正しくないと決定するための前記手段は、前記ＵＥの前記ＳＲＳを前記測定することの結果に少なくとも部分的に基づいて、前記推定された仮想セル識別情報が正しくないと決定するための前記手段を含む、請求項１２に記載の装置。
【請求項１４】
ワイヤレス通信のための装置であって、前記装置は、
ターゲットセルへのハンドオーバを実行するためのハンドオーバコマンドを受信するための手段と、ここにおいて、前記ハンドオーバコマンドは、レイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に使用されるべき物理ランダムアクセスチャネル（ＰＲＡＣＨ）リソースを決定するために前記ＴＤＤ構成情報を採用するための手段と、
前記ハンドオーバが完了した後に、前記レイヤ１シグナリングによって前記ターゲットセルから前記新しいＴＤＤ構成情報を受信するために前記ｅＩＭＴＡ構成情報を採用するための手段とを備える、装置。
【請求項１５】
コンピュータ上で実行されたとき、請求項１−８のうちの一項にしたがった方法を実行するための命令を備える、コンピュータプログラム。
【発明の詳細な説明】
【技術分野】
【０００１】
[0001]本開示の態様は、一般にワイヤレス通信システムに関し、より詳細には、動的ＴＤＤ  ＵＬ／ＤＬ構成対応セル（dynamic TDD UL/DL configuration enabled cell）および／またはＣｏＭＰセル中へのハンドオーバに関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）のための通信をサポートすることができるいくつかのｅノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００４】
[0004]拡張干渉管理およびトラフィック適応（ｅＩＭＴＡ：enhanced interference management and traffic adaption）は、ワイヤレス通信システムのための現在開発中の技術である。ｅＩＭＴＡの１つの目的は、トラフィック適応のための動的時分割複信（ＴＤＤ）アップリンク／ダウンリンク（ＵＬ／ＤＬ）構成変更を可能にすることである。ｅＩＭＴＡの別の目的は、ＴＤＤ  ＵＬ／ＤＬ再構成とともに干渉緩和を行うことである。
【０００５】
[0005]ＴＤＤ構成情報は、典型的にはシステム情報ブロック１（ＳＩＢ１：system information block 1）中で供給される。このＴＤＤ構成情報は、レガシーおよびアイドルＵＥによって使用され得る。このＴＤＤ構成情報はまた、ＵＬ送信のハイブリッド自動再送要求（ＨＡＲＱ：Hybrid Automatic Repeat Request）タイムラインのための基準構成として、すべてのＵＥによって使用され得る。
【０００６】
[0006]ｅＩＭＴＡでは、新しいＴＤＤ構成情報が、グループ共通無線ネットワーク一時識別子（ＲＮＴＩ：radio network temporary identifier）によってアドレス指定される明示的レイヤ１（Ｌ１：Layer 1）シグナリングによってＵＥに送られ得る。新しいＴＤＤ構成情報のＵＥへのＬ１シグナリングは、無線フレームごとに１回ほどの頻度でＴＤＤ構成を変更することができる。
【０００７】
[0007]ＴＤＤ構成情報の一部はＤＬ基準構成情報であり得る。ＵＥは、ＤＬ送信のＨＡＲＱタイムラインを決定するためにＤＬ基準構成を使用し得る。このＤＬ基準構成情報はまた、無線フレームごとに１回ほどの頻度でＬ１シグナリングによって変更され得る。
【発明の概要】
【０００８】
[0008]動的ＴＤＤ  ＵＬ／ＤＬ構成対応セルおよび／またはＣｏＭＰセル中へのハンドオーバのための技法について本明細書で説明する。
【０００９】
[0009]一態様では、ワイヤレス通信のための方法は、ユーザ機器（ＵＥ）がターゲットセルからレイヤ１シグナリングによって新しいＴＤＤ構成情報を受信するために、ターゲットセルによって、拡張干渉緩和およびトラフィック適応（ｅＩＭＴＡ：enhanced interference mitigation and traffic adaptation）構成情報を生成することを含む。本方法は、ターゲットセルによって、ターゲットセルへのＵＥのハンドオーバを実行するためのハンドオーバコマンドを生成すること、ここにおいて、ハンドオーバコマンドが、時分割複信（ＴＤＤ）構成情報とｅＩＭＴＡ構成情報とを含んでいる、をさらに含む。本方法はまた、ターゲットセルによって、ハンドオーバコマンドを送信することを含む。本方法は、ターゲットセルによって、ハンドオーバが完了した後にレイヤ１シグナリングによって新しいＴＤＤ構成情報をＵＥに送信することをさらに含む。
【００１０】
[0010]別の態様では、ワイヤレス通信のための方法は、ユーザ機器（ＵＥ）によって、ターゲットセルへのＵＥのハンドオーバを実行するためのハンドオーバコマンドを受信すること、ここにおいて、ハンドオーバコマンドは、ＵＥがレイヤ１シグナリングによってターゲットセルから新しい時分割複信（ＴＤＤ）構成情報を受信するための拡張干渉緩和およびトラフィック適応（ｅＩＭＴＡ）構成情報とＴＤＤ構成情報とを含んでいる、を含む。本方法は、ハンドオーバ中にＵＥによって使用されるべき物理ランダムアクセスチャネル（ＰＲＡＣＨ）リソースを決定するために、ＵＥによって、ＴＤＤ構成情報を採用することをさらに含む。本方法はまた、ハンドオーバが完了した後に、レイヤ１シグナリングによってターゲットセルから新しいＴＤＤ構成情報を受信するために、ＵＥによって、ｅＩＭＴＡ構成情報を採用することを含む。
【００１１】
[0011]別の態様では、ワイヤレス通信のための方法は、ソースセルによって、ターゲットセルへのユーザ機器（ＵＥ）のハンドオーバを実行するようにとのハンドオーバ要求をターゲットセルに送信すると決定することを含む。本方法は、ソースセルによって、ＵＥがターゲットセルの１つまたは複数の仮想セルの１つまたは複数のチャネル状態情報基準信号（ＣＳＩ−ＲＳ：Channel State Information - Reference Signal）を測定するようにとの要求をＵＥに送信することをさらに含む。本方法はまた、ソースセルによって、ＵＥからＣＳＩ−ＲＳ測定報告を受信することを含む。
【００１２】
[0012]別の態様では、ワイヤレス通信のための方法は、ユーザ機器（ＵＥ）によって、ソースセルから、ＵＥがターゲットセルの１つまたは複数の仮想セルの１つまたは複数のチャネル状態情報基準信号（ＣＳＩ−ＲＳ）を測定するようにとの要求を受信することを含む。本方法は、ＵＥによって、要求に応答してターゲットセルの１つまたは複数の仮想セルのＣＳＩ−ＲＳを測定することをさらに含む。
【００１３】
[0013]別の態様では、ワイヤレス通信のための方法は、ターゲットセルによって、ターゲットセルへのユーザ機器（ＵＥ）のハンドオーバを実行することを含む。本方法は、ターゲットセルによって、ハンドオーバが完了した後に無線リソース制御（ＲＲＣ：radio resource control）接続再構成を実行し、それによって、ＵＥのための拡張干渉緩和およびトラフィック適応（ｅＩＭＴＡ）または多地点協調（ＣｏＭＰ：coordinated multipoint）のうちの少なくとも１つを可能にすることをさらに含む。
【００１４】
[0014]別の態様では、ワイヤレス通信のための方法は、ユーザ機器（ＵＥ）によって、ターゲットセルへのＵＥのハンドオーバを実行することを含む。本方法は、ＵＥによって、ハンドオーバが完了した後にターゲットセルによる無線リソース構成（ＲＲＣ）接続再構成に応答すること、ここにおいて、ＲＲＣ接続再構成が、ＵＥのための拡張干渉緩和およびトラフィック適応（ｅＩＭＴＡ）または多地点協調（ＣｏＭＰ）のうちの少なくとも１つを可能にする、をさらに含む。
【００１５】
[0015]別の態様では、ワイヤレス通信のための装置は、ユーザ機器（ＵＥ）がターゲットセルからレイヤ１シグナリングによって新しいＴＤＤ構成情報を受信するために、ターゲットセルによって、拡張干渉緩和およびトラフィック適応（ｅＩＭＴＡ）構成情報を生成するための手段を含む。本装置は、ターゲットセルによって、ターゲットセルへのＵＥのハンドオーバを実行するためのハンドオーバコマンドを生成するための手段、ここにおいて、ハンドオーバコマンドが、時分割複信（ＴＤＤ）構成情報とｅＩＭＴＡ構成情報とを含んでいる、をさらに含む。本装置はまた、ターゲットセルによって、ハンドオーバコマンドを送信するための手段を含む。本装置は、ターゲットセルによって、ハンドオーバが完了した後にレイヤ１シグナリングによって新しいＴＤＤ構成情報をＵＥに送信するための手段をさらに含む。
【００１６】
[0016]別の態様では、ワイヤレス通信のための装置は、ユーザ機器（ＵＥ）によって、ターゲットセルへのＵＥのハンドオーバを実行するためのハンドオーバコマンドを受信するための手段、ここにおいて、ハンドオーバコマンドは、ＵＥがレイヤ１シグナリングによってターゲットセルから新しい時分割複信（ＴＤＤ）構成情報を受信するための拡張干渉緩和およびトラフィック適応（ｅＩＭＴＡ）構成情報とＴＤＤ構成情報とを含んでいる、を含む。本装置は、ハンドオーバ中にＵＥによって使用されるべき物理ランダムアクセスチャネル（ＰＲＡＣＨ）リソースを決定するために、ＵＥによって、ＴＤＤ構成情報を採用するための手段をさらに含む。本装置はまた、ハンドオーバが完了した後に、レイヤ１シグナリングによってターゲットセルから新しいＴＤＤ構成情報を受信するために、ＵＥによって、ｅＩＭＴＡ構成情報を採用するための手段を含む。
【００１７】
[0017]別の態様では、ワイヤレス通信のための装置は、ソースセルによって、ターゲットセルへのユーザ機器（ＵＥ）のハンドオーバを実行するようにとのハンドオーバ要求をターゲットセルに送信すると決定するための手段を含む。本装置は、ソースセルによって、ＵＥがターゲットセルの１つまたは複数の仮想セルの１つまたは複数のチャネル状態情報基準信号（ＣＳＩ−ＲＳ）を測定するようにとの要求をＵＥに送信するための手段をさらに含む。本装置はまた、ソースセルによって、ＵＥからＣＳＩ−ＲＳ測定報告を受信するための手段を含む。
【００１８】
[0018]別の態様では、ワイヤレス通信のための装置は、ユーザ機器（ＵＥ）によって、ソースセルから、ＵＥがターゲットセルの１つまたは複数の仮想セルの１つまたは複数のチャネル状態情報基準信号（ＣＳＩ−ＲＳ）を測定するようにとの要求を受信するための手段を含む。本装置は、ＵＥによって、要求に応答してターゲットセルの１つまたは複数の仮想セルのＣＳＩ−ＲＳを測定するための手段をさらに含む。
【００１９】
[0019]別の態様では、ワイヤレス通信のための装置は、ターゲットセルによって、ターゲットセルへのユーザ機器（ＵＥ）のハンドオーバを実行するための手段を含む。本装置は、ターゲットセルによって、ハンドオーバが完了した後に無線リソース制御（ＲＲＣ）接続再構成を実行し、それによって、ＵＥのための拡張干渉緩和およびトラフィック適応（ｅＩＭＴＡ）または多地点協調（ＣｏＭＰ）のうちの少なくとも１つを可能にするための手段をさらに含む。
【００２０】
[0020]別の態様では、ワイヤレス通信のための装置は、ユーザ機器（ＵＥ）によって、ターゲットセルへのＵＥのハンドオーバを実行するための手段を含む。本装置は、ＵＥによって、ハンドオーバが完了した後にターゲットセルによる無線リソース構成（ＲＲＣ）接続再構成に応答するための手段、ここにおいて、ＲＲＣ接続再構成が、ＵＥのための拡張干渉緩和およびトラフィック適応（ｅＩＭＴＡ）または多地点協調（ＣｏＭＰ）のうちの少なくとも１つを可能にする、をさらに含む。
【００２１】
[0021]別の態様では、コンピュータ可読媒体は、その上に記憶されたプログラムコードを有する。プログラムコードは、コンピュータによって実行されたとき、コンピュータに、ユーザ機器（ＵＥ）がターゲットセルからレイヤ１シグナリングによって新しいＴＤＤ構成情報を受信するために、ターゲットセルによって、拡張干渉緩和およびトラフィック適応（ｅＩＭＴＡ）構成情報を生成することを行わせる。プログラムコードは、コンピュータによって実行されたとき、コンピュータに、ターゲットセルによって、ターゲットセルへのＵＥのハンドオーバを実行するためのハンドオーバコマンドを生成すること、ここにおいて、ハンドオーバコマンドが、時分割複信（ＴＤＤ）構成情報とｅＩＭＴＡ構成情報とを含んでいる、をさらに行わせる。プログラムコードはまた、コンピュータによって実行されたとき、コンピュータに、ターゲットセルによって、ハンドオーバコマンドを送信することを行わせる。プログラムコードは、コンピュータによって実行されたとき、コンピュータに、ターゲットセルによって、ハンドオーバが完了した後にレイヤ１シグナリングによって新しいＴＤＤ構成情報をＵＥに送信することをさらに行わせる。
【００２２】
[0022]別の態様では、コンピュータ可読媒体は、その上に記憶されたプログラムコードを有する。プログラムコードは、コンピュータによって実行されたとき、コンピュータに、ユーザ機器（ＵＥ）によって、ターゲットセルへのＵＥのハンドオーバを実行するためのハンドオーバコマンドを受信すること、ここにおいて、ハンドオーバコマンドは、ＵＥがレイヤ１シグナリングによってターゲットセルから新しい時分割複信（ＴＤＤ）構成情報を受信するための拡張干渉緩和およびトラフィック適応（ｅＩＭＴＡ）構成情報とＴＤＤ構成情報とを含んでいる、を行わせる。プログラムコードは、コンピュータによって実行されたとき、コンピュータに、ハンドオーバ中にＵＥによって使用されるべき物理ランダムアクセスチャネル（ＰＲＡＣＨ）リソースを決定するために、ＵＥによって、ＴＤＤ構成情報を採用することをさらに行わせる。プログラムコードはまた、コンピュータによって実行されたとき、コンピュータに、ハンドオーバが完了した後にレイヤ１シグナリングによってターゲットセルから新しいＴＤＤ構成情報を受信するために、ＵＥによって、ｅＩＭＴＡ構成情報を採用することを行わせる。
【００２３】
[0023]別の態様では、コンピュータ可読媒体は、その上に記憶されたプログラムコードを有する。プログラムコードは、コンピュータによって実行されたとき、コンピュータに、ソースセルによって、ターゲットセルへのユーザ機器（ＵＥ）のハンドオーバを実行するようにとのハンドオーバ要求をターゲットセルに送信すると決定することを行わせる。プログラムコードは、コンピュータによって実行されたとき、コンピュータに、ソースセルによって、ＵＥがターゲットセルの１つまたは複数の仮想セルの１つまたは複数のチャネル状態情報基準信号（ＣＳＩ−ＲＳ）を測定するようにとの要求をＵＥに送信することをさらに行わせる。プログラムコードはまた、コンピュータによって実行されたとき、コンピュータに、ソースセルによって、ＵＥからＣＳＩ−ＲＳ測定報告を受信することを行わせる。
【００２４】
[0024]別の態様では、コンピュータ可読媒体は、その上に記憶されたプログラムコードを有する。プログラムコードは、コンピュータによって実行されたとき、コンピュータに、ユーザ機器（ＵＥ）によって、ソースセルから、ＵＥがターゲットセルの１つまたは複数の仮想セルの１つまたは複数のチャネル状態情報基準信号（ＣＳＩ−ＲＳ）を測定するようにとの要求を受信することを行わせる。プログラムコードは、コンピュータによって実行されたとき、コンピュータに、ＵＥによって、要求に応答してターゲットセルの１つまたは複数の仮想セルのＣＳＩ−ＲＳを測定することをさらに行わせる。
【００２５】
[0025]別の態様では、コンピュータ可読媒体は、その上に記憶されたプログラムコードを有する。プログラムコードは、コンピュータによって実行されたとき、コンピュータに、ターゲットセルによって、ターゲットセルへのユーザ機器（ＵＥ）のハンドオーバを実行することを行わせる。プログラムコードは、コンピュータによって実行されたとき、コンピュータに、ターゲットセルによって、ハンドオーバが完了した後に無線リソース制御（ＲＲＣ）接続再構成を実行し、それによって、ＵＥのための拡張干渉緩和およびトラフィック適応（ｅＩＭＴＡ）または多地点協調（ＣｏＭＰ）のうちの少なくとも１つを可能にすることをさらに行わせる。
【００２６】
[0026]別の態様では、コンピュータ可読媒体は、その上に記憶されたプログラムコードを有する。プログラムコードは、コンピュータによって実行されたとき、コンピュータに、ユーザ機器（ＵＥ）によって、ターゲットセルへのＵＥのハンドオーバを実行することを行わせる。プログラムコードは、コンピュータによって実行されたとき、コンピュータに、ＵＥによって、ハンドオーバが完了した後にターゲットセルによる無線リソース構成（ＲＲＣ）接続再構成に応答すること、ここにおいて、ＲＲＣ接続再構成が、ＵＥのための拡張干渉緩和およびトラフィック適応（ｅＩＭＴＡ）または多地点協調（ＣｏＭＰ）のうちの少なくとも１つを可能にする、をさらに行わせる。
【００２７】
[0027]別の態様では、ワイヤレス通信のために構成された装置は、少なくとも１つのプロセッサと、少なくとも１つのプロセッサに結合されたメモリとを含む。少なくとも１つのプロセッサは、ユーザ機器（ＵＥ）がターゲットセルからレイヤ１シグナリングによって新しいＴＤＤ構成情報を受信するために、ターゲットセルによって、拡張干渉緩和およびトラフィック適応（ｅＩＭＴＡ）構成情報を生成するように構成される。少なくとも１つのプロセッサは、ターゲットセルによって、ターゲットセルへのＵＥのハンドオーバを実行するためのハンドオーバコマンドを生成すること、ここにおいて、ハンドオーバコマンドが、時分割複信（ＴＤＤ）構成情報とｅＩＭＴＡ構成情報とを含んでいる、を行うように構成される。少なくとも１つのプロセッサはまた、ターゲットセルによって、ハンドオーバコマンドを送信するように構成される。少なくとも１つのプロセッサは、ターゲットセルによって、ハンドオーバが完了した後にレイヤ１シグナリングによって新しいＴＤＤ構成情報をＵＥに送信するようにさらに構成される。
【００２８】
[0028]別の態様では、ワイヤレス通信のために構成された装置は、少なくとも１つのプロセッサと、少なくとも１つのプロセッサに結合されたメモリとを含む。少なくとも１つのプロセッサは、ユーザ機器（ＵＥ）によって、ターゲットセルへのＵＥのハンドオーバを実行するためのハンドオーバコマンドを受信すること、ここにおいて、ハンドオーバコマンドは、ＵＥがレイヤ１シグナリングによってターゲットセルから新しい時分割複信（ＴＤＤ）構成情報を受信するための拡張干渉緩和およびトラフィック適応（ｅＩＭＴＡ）構成情報とＴＤＤ構成情報とを含んでいる、を行うように構成される。少なくとも１つのプロセッサは、ハンドオーバ中にＵＥによって使用されるべき物理ランダムアクセスチャネル（ＰＲＡＣＨ）リソースを決定するために、ＵＥによって、ＴＤＤ構成情報を採用するようにさらに構成される。少なくとも１つのプロセッサは、ハンドオーバが完了した後に、レイヤ１シグナリングによってターゲットセルから新しいＴＤＤ構成情報を受信するために、ＵＥによって、ｅＩＭＴＡ構成情報を採用するようにさらに構成される。
【００２９】
[0029]別の態様では、ワイヤレス通信のために構成された装置は、少なくとも１つのプロセッサと、少なくとも１つのプロセッサに結合されたメモリとを含む。少なくとも１つのプロセッサは、ソースセルによって、ターゲットセルへのユーザ機器（ＵＥ）のハンドオーバを実行するようにとのハンドオーバ要求をターゲットセルに送信すると決定するように構成される。少なくとも１つのプロセッサは、ソースセルによって、ＵＥがターゲットセルの１つまたは複数の仮想セルの１つまたは複数のチャネル状態情報基準信号（ＣＳＩ−ＲＳ）を測定するようにとの要求をＵＥに送信するようにさらに構成される。少なくとも１つのプロセッサはまた、ソースセルによって、ＵＥからＣＳＩ−ＲＳ測定報告を受信するようにさらに構成される。
【００３０】
[0030]別の態様では、ワイヤレス通信のために構成された装置は、少なくとも１つのプロセッサと、少なくとも１つのプロセッサに結合されたメモリとを含む。少なくとも１つのプロセッサは、ユーザ機器（ＵＥ）によって、ソースセルから、ＵＥがターゲットセルの１つまたは複数の仮想セルの１つまたは複数のチャネル状態情報基準信号（ＣＳＩ−ＲＳ）を測定するようにとの要求を受信するように構成される。少なくとも１つのプロセッサは、ＵＥによって、要求に応答してターゲットセルの１つまたは複数の仮想セルのＣＳＩ−ＲＳを測定するようにさらに構成される。
【００３１】
[0031]別の態様では、ワイヤレス通信のために構成された装置は、少なくとも１つのプロセッサと、少なくとも１つのプロセッサに結合されたメモリとを含む。少なくとも１つのプロセッサは、ターゲットセルによって、ターゲットセルへのユーザ機器（ＵＥ）のハンドオーバを実行するように構成される。少なくとも１つのプロセッサは、ターゲットセルによって、ハンドオーバが完了した後に無線リソース制御（ＲＲＣ）接続再構成を実行し、それによって、ＵＥのための拡張干渉緩和およびトラフィック適応（ｅＩＭＴＡ）または多地点協調（ＣｏＭＰ）のうちの少なくとも１つを可能にするようにさらに構成される。
【００３２】
[0032]別の態様では、ワイヤレス通信のために構成された装置は、少なくとも１つのプロセッサと、少なくとも１つのプロセッサに結合されたメモリとを含む。少なくとも１つのプロセッサは、ユーザ機器（ＵＥ）によって、ターゲットセルへのＵＥのハンドオーバを実行するように構成される。少なくとも１つのプロセッサは、ＵＥによって、ハンドオーバが完了した後にターゲットセルによる無線リソース構成（ＲＲＣ）接続再構成に応答すること、ここにおいて、ＲＲＣ接続再構成が、ＵＥのための拡張干渉緩和およびトラフィック適応（ｅＩＭＴＡ）または多地点協調（ＣｏＭＰ）のうちの少なくとも１つを可能にする、を行うようにさらに構成される。
【００３３】
[0033]本開示の様々な態様および特徴について以下でさらに詳細に説明する。
【図面の簡単な説明】
【００３４】
【図１】[0034]電気通信システムの一例を示すブロック図。
【図２】[0035]電気通信システムにおけるダウンリンクフレーム構造の一例を示すブロック図。
【図３】[0036]本開示の一態様に従って構成されたｅノードＢおよびＵＥの設計を示すブロック図。
【図４】[0037]本開示の一態様による、ワイヤレス通信システムにおけるハンドオーバプロシージャ中のシグナリングを示すタイミング図。
【図５】[0038]本開示の一態様による、拡張干渉管理およびトラフィック適応（ｅＩＭＴＡ）対応セル中へのハンドオーバプロシージャ中のシグナリングを示すタイミング図。
【図６】[0039]本開示の一態様による、ＣｏＭＰ４シナリオ対応仮想セル中へのハンドオーバを示すブロック図。
【図７】[0040]本開示の一態様による、ワイヤレス通信プロセスの例示的なブロックを示すブロック図。
【図８】[0041]本開示の一態様による、ワイヤレス通信プロセスの例示的なブロックを示すブロック図。
【図９】[0042]本開示の一態様による、ワイヤレス通信プロセスの例示的なブロックを示すブロック図。
【図１０】[0043]本開示の一態様による、ワイヤレス通信プロセスの例示的なブロックを示すブロック図。
【図１１】[0044]本開示の一態様による、ワイヤレス通信プロセスの例示的なブロックを示すブロック図。
【図１２】[0045]本開示の一態様による、ワイヤレス通信プロセスの例示的なブロックを示すブロック図。
【図１３】[0046]本開示の一態様による、ワイヤレス通信プロセスの例示的なブロックを示すブロック図。
【図１４】[0047]本開示の一態様による、ワイヤレス通信プロセスの例示的なブロックを示すブロック図。
【図１５】[0048]本開示の一態様による、ワイヤレス通信プロセスの例示的なブロックを示すブロック図。
【図１６】[0049]本開示の一態様による、ワイヤレス通信プロセスの例示的なブロックを示すブロック図。
【図１７】[0050]本開示の一態様による、ワイヤレス通信プロセスの例示的なブロックを示すブロック図。
【図１８】[0051]本開示の一態様による、ワイヤレス通信プロセスの例示的なブロックを示すブロック図。
【発明を実施するための形態】
【００３５】
[0052]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００３６】
[0053]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標）：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００３７】
[0054]図１に、ＬＴＥネットワークであり得るワイヤレス通信ネットワーク１００を示す。ワイヤレスネットワーク１００は、いくつかの発展型ノードＢ（ｅノードＢ）１１０と他のネットワークエンティティとを含み得る。ｅノードＢは、ＵＥと通信する局であり得、基地局、アクセスポイントなどと呼ばれることもある。ノードＢは、ＵＥと通信する局の別の例である。
【００３８】
[0055]  各ｅノードＢ１１０は、特定の地理的エリアに通信カバレージを与え得る。３ＧＰＰでは、「セル」という用語は、この用語が使用されるコンテキストに応じて、ｅノードＢのカバレージエリアおよび／またはこのカバレージエリアをサービスしているｅノードＢサブシステムを指すことがある。
【００３９】
[0056]ｅノードＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。図１に示された例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ＵＥ１２０ｘをサービスする、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００４０】
[0057]ワイヤレスネットワーク１００はまた、中継局を含み得る。中継局は、上流局（たとえば、ｅノードＢまたはＵＥ）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００４１】
[0058]ワイヤレスネットワーク１００は、異なるタイプのｅノードＢ、たとえば、マクロｅノードＢ、ピコｅノードＢ、フェムトｅノードＢ、リレーなどを含む異種ネットワークであり得る。これらの異なるタイプのｅノードＢは、異なる送信電力レベル、異なるカバレージエリア、およびワイヤレスネットワーク１００における干渉に対する異なる影響を有し得る。たとえば、マクロｅノードＢは、高い送信電力レベル（たとえば、２０ワット）を有し得るが、ピコｅノードＢ、フェムトｅノードＢおよびリレーは、より低い送信電力レベル（たとえば、１ワット）を有し得る。
【００４２】
[0059]ワイヤレスネットワーク１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作と非同期動作の両方のために使用され得る。
【００４３】
[0060]ネットワークコントローラ１３０は、ｅノードＢのセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００４４】
[0061]ＵＥ１２０は、ワイヤレスネットワーク１００全体にわたって分散され得、各ＵＥは固定されていることがあり得、または移動可能であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、スマートフォン、ハンドヘルドデバイス、ラップトップコンピュータ、タブレット、コードレスフォン、ワイヤレスローカルループ（ＷＬＬ）局などであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００４５】
[0062]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（すなわち１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００４６】
[0063]図２に、ＬＴＥにおいて使用されるダウンリンクフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には、０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４７】
[0064]ＬＴＥでは、ｅノードＢは、ｅノードＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨは、特定のシステム情報を搬送し得る。
【００４８】
[0065]ｅノードＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ個）を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割当てに関する情報と、アップリンクチャネルのための電力制御情報とを搬送し得る。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４９】
[0066]ｅノードＢは、ｅノードＢによって使用されるシステム帯域幅の中心１．０８ＭＨｚにおいてＰＳＳ、ＳＳＳおよびＰＢＣＨを送り得る。ｅノードＢは、ＰＣＦＩＣＨおよびＰＨＩＣＨを、これらのチャネルが送られる各シンボル期間中にシステム帯域幅全体にわたって送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００５０】
[0067]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧの特定の組合せのみがＰＤＣＣＨに対して可能にされ得る。
【００５１】
[0068]ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して許可される組合せの数よりも少ない。ｅノードＢは、ＵＥが探索することになる組合せのいずれかにおいてＵＥにＰＤＣＣＨを送り得る。
【００５２】
[0069]ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ：signal-to-noise ratio）など、様々な基準に基づいて選択され得る。
【００５３】
[0070]図３に、図１中のｅノードＢのうちの１つであるｅノードＢ１１０、および図１中のＵＥのうちの１つであるＵＥ１２０の設計のブロック図を示す。制限付き関連付けシナリオの場合、ｅノードＢ１１０は図１中のマクロｅノードＢ１１０ｃであり得、ＵＥ１２０はＵＥ１２０ｙであり得る。ｅノードＢ１１０はアンテナ３３４ａ〜３３４ｔを装備し得、ＵＥ１２０はアンテナ３５２ａ〜３５２ｒを装備し得る。
【００５４】
[0071]ｅノードＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのための）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００５５】
[0072]ＵＥ１２０において、アンテナ３５２ａ〜３５２ｒは、ｅノードＢ１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４は、さらに、（たとえば、ＯＦＤＭなどの）入力サンプルを処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００５６】
[0073]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合は送信ＭＩＭＯプロセッサ３６６によってプリコードされ、さらに（たとえば、ＳＣ−ＦＤＭなどのために）変調器３５４ａ〜３５４ｒによって処理され、ｅノードＢ１１０に送信され得る。ｅノードＢ１１０において、ＵＥ１２０からのアップリンク信号は、アンテナ３３４によって受信され、復調器３３２ａ〜３３２ｔによって処理され、適用可能な場合はＭＩＭＯ検出器３３６によって検出され、ＵＥ１２０によって送られた復号されたデータおよび制御情報を取得するために、さらに受信プロセッサ３３８によって処理され得る。受信プロセッサ３３８は、復号されたデータをデータシンク３３９に与え、復号された制御情報をコントローラ／プロセッサ３４０に与え得る。
【００５７】
[0074]コントローラ／プロセッサ３４０および３８０は、それぞれｅノードＢ１１０における動作およびＵＥ１２０における動作を指示し得る。ｅノードＢ１１０におけるプロセッサ３４０および／または他のプロセッサおよびモジュールは、本明細書で説明する技法のための様々なプロセスを実行するか、またはその実行を指示し得る。ＵＥ１２０におけるプロセッサ３８０および／または他のプロセッサとモジュールはまた、図４〜図８に示されている機能ブロック、および／または本明細書で説明する技法のための他のプロセスを実行するか、またはその実行を指示し得る。メモリ３４２および３８２は、それぞれｅノードＢ１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００５８】
[0075]前記のように、拡張干渉管理およびトラフィック適応（ｅＩＭＴＡ）は、ワイヤレス通信システムのための現在開発中の技術である。ｅＩＭＴＡの１つの目的は、トラフィック適応のための動的時分割複信（ＴＤＤ）アップリンク／ダウンリンク（ＵＬ／ＤＬ）構成変更を可能にすることである。ｅＩＭＴＡの別の目的は、ＴＤＤ  ＵＬ／ＤＬ再構成とともに干渉緩和を行うことである。
【００５９】
[0076]ＴＤＤ構成情報は、典型的にはシステム情報ブロック１（ＳＩＢ１）中で供給される。このＴＤＤ構成情報は、レガシーおよびアイドルＵＥによって使用され得る。このＴＤＤ構成情報はまた、ＵＬ送信のハイブリッド自動再送要求（ＨＡＲＱ）タイムラインのための基準構成として、すべてのＵＥによって使用され得る。
【００６０】
[0077]ｅＩＭＴＡでは、新しいＴＤＤ構成情報が、グループ共通無線ネットワーク一時識別子（ＲＮＴＩ）によってアドレス指定される明示的レイヤ１（Ｌ１）シグナリングによってＵＥに送られ得る。新しいＴＤＤ構成情報のＵＥへのＬ１シグナリングは、無線フレームごとの頻度でＴＤＤ構成を変更することができる。
【００６１】
[0078]ＴＤＤ構成情報の一部はＤＬ基準構成情報であり得る。ＵＥは、ＤＬ送信のＨＡＲＱタイムラインを決定するためにＤＬ基準構成を使用し得る。このＤＬ基準構成情報はまた、無線フレームごとの頻度でＬ１シグナリングによって変更され得る。
【００６２】
[0079]図４に、ソースセル４００からターゲットセル４０４へのＵＥ４１０のハンドオーバ中のシグナリングの一例を示す。たとえば、ターゲットセル４００は、ＵＥコンテキスト情報を含んでいるハンドオーバ要求４０２をターゲットセル４０４に送り得る。ターゲットセル４０４は、次いで、ターゲットセル４０４へのＵＥ４１０のハンドオーバを実行することを決定し、ハンドオーバコマンド４０６でソースセル４００に応答し得る。ハンドオーバコマンド４０６は、ＲＲＣ接続再構成情報を含んでいるハンドオーバ要求確認応答メッセージであり得る。ソースセル４００は、モビリティ制御情報を含んでいるＲＲＣ接続再構成メッセージ４０８として、ハンドオーバコマンド４０６をＵＥ４１０にフォワーディングし得る。このモビリティ制御情報は、ハンドオーバコマンド４０６中でターゲットセル４０４によって与えられるＴＤＤ構成情報を含み得る。
【００６３】
[0080]ＵＥ４１０は、新しいＴＤＤ構成情報がＳＩＢ１中で受信されるまで、ターゲットセル４０４における動作のすべてについてＴＤＤ構成情報に従い得る。たとえば、ＵＥ４１０は、ランダムアクセスチャネル（ＲＡＣＨ）リソースを決定するために、ハンドオーバコマンド４０６中で受信されたＴＤＤ構成情報を採用し、ＵＥ４１０によって、ターゲットセル４０４へのランダムアクセスプリアンブル４１２の送信から始まるハンドオーバシグナリングを実行し得る。ターゲットセル４０４がランダムアクセス応答４１４で応答するとき、ＵＥ４０８は、ハンドオーバを完了するためにＲＲＣ接続完了メッセージ４１６で応答し得る。
【００６４】
[0081]ｅＩＭＴＡ対応であるターゲットセルへのハンドオーバを実行するときに問題が起こる。特に、ＵＥによって、ハンドオーバコマンド中で受信されたＴＤＤ構成情報は、ターゲットセルにおける迅速なＴＤＤ構成変更によりすでに無効であり得る。この問題は、いくつかの理由のために問題になり得る。たとえば、ランダムアクセスプリアンブル４１２とランダムアクセス応答４１４とＲＲＣ接続完了メッセージ４１６とを伴うハンドオーバシグナリングは、正しいＴＤＤ構成情報を必要とする。また、ＵＥは、ターゲットセル４０４から動的ＴＤＤ構成情報とＤＬ基準構成と電力制御情報とを受信するためにターゲットセル４０４のｅＩＭＴＡコンテキストを必要とする。
【００６５】
[0082]この問題に対処するための１つのソリューションは、ターゲットセル４０４が、ＵＥ４１０のためのｅＩＭＴＡを可能にすることを、ハンドオーバが完了した後まで遅延させることであり得る。たとえば、ＵＥ４１０のためのｅＩＭＴＡを可能にするために、ターゲットノード４０４は、ＲＲＣ接続再構成完了メッセージ４１６を受信した後にＵＥ４１０に追加のＲＲＣ再構成メッセージを送信し得る。このソリューションに関係するさらなる詳細について、図９および図１０を参照しながら以下でより詳細に説明する。しかしながら、図７および図８に目を向ける前に、別のソリューションが、図５を参照しながら考慮され得、ＣｏＭＰに関係するさらなる問題が、図６を参照しながら検討され得る。
【００６６】
[0083]図５に、ｅＩＭＴＡ対応ターゲットセル５０４へのハンドオーバに関係する問題に対処する追加または代替のソリューションを採用するｅＩＭＴＡ対応ターゲットセル５０４へのハンドオーバシグナリングを示す。ハンドオーバがイントラＥ−ＵＴＲＡ（たとえば、Ｘ２ハンドオーバまたはＳ１ハンドオーバのいずれか）あるいはインターＲＡＴのいずれかであり得ることを理解されたい。図５は、Ｘ２ハンドオーバを伴う例を示している。
【００６７】
[0084]本例では、ソースセル５００、ターゲットセル５０４、およびＵＥ５１０は、図４に示されているものと同じまたは同様のタイプのメッセージを送信および受信する。たとえば、ソースセル５００およびターゲットセル５０４は、ハンドオーバ要求５０２とハンドオーバコマンド５０６とを交換し得る。さらに、ソースセル５００は、モビリティ制御情報を含んでいるＲＲＣ接続再構成メッセージ５０８として、ハンドオーバコマンド５０６をＵＥ５１０にフォワーディングし得る。また、ＵＥ５１０およびターゲットセル５０４は、ランダムアクセスプリアンブル５１２と、ランダムアクセス応答５１４と、ＲＲＣ接続完了メッセージ５１６とを交換し得る。しかしながら、この追加または代替のソリューションによれば、ターゲットセル５０４は、ハンドオーバコマンド５０６中に、ＵＥ５１０がターゲットセル５０６からＬ１シグナリング５１８を正常に受信することを可能にするｅＩＭＴＡ構成情報を含め得る。
【００６８】
[0085]ｅＩＭＴＡ構成情報を含んでいる新しい情報要素をモビリティ制御情報中に追加することによって、ＵＥ５１０は、上記の問題を回避することが可能であり得る。たとえば、ｅＩＭＴＡ構成情報は、ハンドオーバコマンド５０６中のＴＤＤ構成情報がたとえ無効であり得るとしても、ＵＥ５１０がＬ１シグナリング５１８を受信することを可能にするためにグループ共通ＲＮＴＩとグループインデックスとを含み得る。さらに、キャリアアグリゲーションの場合、ターゲットセル５０４は、ＵＥ５１０がＬ１シグナリング５１８中で１次および２次セルの新しいＴＤＤ構成情報を区別することを可能にするためにｅＩＭＴＡ構成情報中でキャリアアグリゲーションビットマップを与え得る。また、ｅＩＭＴＡ構成情報は、ＤＬ基準構成および／またはｅＩＭＴＡ固有ＵＬ電力制御パラメータを含み得る。ＵＥ５１０は、ハンドオーバ中およびハンドオーバ後にＤＬ  ＨＡＲＱのタイムラインを決定するためにＤＬ基準構成に従い得る。
【００６９】
[0086]ハンドオーバコマンド５０６中の既存のＴＤＤ構成情報は、依然としてＵＥ５１０にとって有用であり得る。たとえば、ターゲットセル５０４は、ＳＩＢ１中のＴＤＤ構成情報と同じであり得る、デフォルトＴＤＤ構成を搬送するためのＴＤＤ構成情報を含め得る。さらに、ＵＥ５１０は、ＰＲＡＣＨリソースを決定するためにＴＤＤ構成情報を使用し得、ＵＥ５１０は、新しいＴＤＤ構成情報がハンドオーバの後にＬ１シグナリング５１８によって受信されるまで、ＴＤＤ構成情報に従い得る。この追加または代替のソリューションに関係するさらなる詳細について、図９および図１０を参照しながら以下で説明する。しかしながら、図９および図１０に目を向ける前に、ＣｏＭＰに関係する追加の問題が、図６を参照しながら検討され得る。
【００７０】
[0087]図６は、ＣｏＭＰシナリオ４においてｅＩＭＴＡ対応ターゲットセル６００へのＵＥ６０６および／または６０８のハンドオーバにおいて起こるさらなる問題を検討している。ＣｏＭＰシナリオ４で構成されたセルでは、リモートラジオヘッド（ＲＲＨ）など、マクロセルおよび任意のスモールセルは、同じ物理セルＩＤ（ＰＣＩ：physical cell ID）を有するように構成される。したがって、同じＰＣＩの場合、マクロセルとスモールセルとは共通ＰＤＣＣＨ制御領域を有することになる。この事例では、部分的に、どのＲＲＨ、あるいは仮想セル６０２または６０４がＵＥに最も近接しているかに関する、ターゲットセル６００の側の知識の欠如により、さらなる問題が起こる。したがって、ハンドオーバ準備段階中に、ターゲットセル６００は、ハンドオーバコマンド中のｅＩＭＴＡ構成情報とＣｏＭＰパラメータとを適切に設定することができないことがある。特に、ターゲットセル６００は、必要とされるＵＥグループインデックスを適切に構成することができないことがある。たとえば、ターゲットｅＮＢは、ＵＥ６０６または６０８が明示的Ｌ１シグナリングを受信するのに必要なグループインデックスを構成することが可能でないことがあり、その理由は、それがＵＥ６０６または６０８が最も近接しているリモートラジオヘッドに関係するからである。これらの追加の問題に対するソリューションについて、図７〜図１８を参照しながら以下で説明する。
【００７１】
[0088]図７および図８は、前に説明した第１のソリューションに関係するさらなる詳細を与える。たとえば、図７は、ＵＥのためのｅＩＭＴＡとＣｏＭＰとを可能にすることをハンドオーバの後まで遅延させる、ターゲットセルによって実行されるワイヤレス通信のためのプロセスを示している。さらに、図８は、ＵＥのためのｅＩＭＴＡとＣｏＭＰとを可能にすることをハンドオーバの後まで遅延させる、ターゲットセルへのハンドオーバ中にＵＥによって実行されるワイヤレス通信のためのプロセスを示している。
【００７２】
[0089]図７を参照すると、ブロック７００において、ターゲットセルによって、ターゲットセルへのＵＥのハンドオーバが実行される。たとえば、ターゲットセルは、ハンドオーバ中に基準ＴＤＤ構成としてＵＥによって使用されるべきＵＥのためのＴＤＤ構成情報をハンドオーバコマンド中に含め得る。ブロック７００において、ｅＩＭＴＡおよびＣｏＭＰは、ターゲットセルがハンドオーバの後にそれを可能にするまで使用されないことがあり、したがって、ターゲットセルは、ハンドオーバ全体にわたってＵＥのために有効なままであるハンドオーバコマンド中のＴＤＤ構成情報を与えることが可能であり得る。ブロック７０２において、ターゲットセルは、ＵＥからのハンドオーバ完了メッセージの受信時にハンドオーバが完了したと決定し得る。ブロック７０２における、ハンドオーバが完了したという決定に応答して、ターゲットセルは、ブロック７０４において、ＲＣＣ接続再構成によってＵＥのためのｅＩＭＴＡとＣｏＭＰとを可能にし得る。
【００７３】
[0090]図８を参照すると、ブロック８００において、ＵＥによって、ターゲットセルへのＵＥのハンドオーバが実行される。ブロック８００において、ＵＥは、ハンドオーバ中に基準ＴＤＤ構成として、ハンドオーバコマンド中で受信されたＴＤＤ構成情報を使用し得る。ターゲットセルは、ｅＩＭＴＡとＣｏＭＰとを、ターゲットセルがハンドオーバの後にそれを可能にするまで、使用しないことがあるので、ＴＤＤ構成情報は、ハンドオーバ全体にわたってＵＥのために有効なままであり得る。ブロック８０２において、ＵＥは、ＵＥによるターゲットセルへのハンドオーバ完了メッセージの送信時に、ハンドオーバが完了したと決定し得る。ハンドオーバが完了したという決定に応答して、ＵＥは、ブロック８０４において、ＵＥのためのｅＩＭＴＡとＣｏＭＰとを可能にするために、ターゲットセルによるＲＲＣ接続再構成に応答し得る。
【００７４】
[0091]図７および図８を参照しながら説明した第１のソリューションは、ｅＩＭＴＡハンドオーバとＣｏＭＰシナリオ４ハンドオーバとに関係する問題のすべてを回避することを諒解されたい。しかしながら、第１のソリューションは、ｅＩＭＴＡまたはＣｏＭＰがハンドオーバの後までターゲットセルによって採用されることを可能にしない。図９および図１０を参照しながら以下で説明する追加または代替のソリューションは、ターゲットセルがハンドオーバ中にｅＩＭＴＡを採用することを許可し得る。
【００７５】
[0092]図９および図１０は、前に説明した追加または代替のソリューションに関係するさらなる詳細を与える。たとえば、図９は、ハンドオーバコマンド中でｅＩＭＴＡ構成情報を与える、ターゲットセルによって実行されるワイヤレス通信のためのプロセスを示している。さらに、図１０は、ハンドオーバコマンド中でｅＩＭＴＡ構成情報を与える、ターゲットセルへのハンドオーバ中にＵＥによって実行されるワイヤレス通信のためのプロセスを示している。
【００７６】
[0093]図９を参照すると、ターゲットセルは、ブロック９００において、ソースセルから、ターゲットセルへのＵＥのハンドオーバを実行するようにとのハンドオーバ要求を受信し得る。ブロック９０２において、上記で説明したように、ターゲットセルは、ＴＤＤ構成情報とｅＩＭＴＡ構成情報とを含んでいるハンドオーバコマンドを生成し得る。ブロック９０４において、ターゲットセルは、ＵＥへのハンドオーバコマンドのフォワーディングのためにハンドオーバコマンドをソースセルに送信し得る。ブロック９０６において、ターゲットセルは、上記で説明したように、ハンドオーバが完了したと決定し得る。ブロック９０８において、ターゲットセルは、ハンドオーバが完了した後にＬ１シグナリングによって新しいＴＤＤ構成情報をＵＥに送信し得る。
【００７７】
[0094]図１０を参照すると、ＵＥは、ブロック１０００において、ＴＤＤ構成情報とｅＩＭＴＡ構成情報とを含んでいるハンドオーバコマンドを受信し得る。ブロック１００２において、ＵＥは、ハンドオーバ中にＵＥによって使用されるべきＰＲＡＣＨリソースを決定するためにＴＤＤ構成情報を採用することを含む、ターゲットセルへのＵＥのハンドオーバを実行し得る。ブロック１００４において、ＵＥは、前に説明したように、ハンドオーバが完了したと決定し得る。ブロック１００６において、ＵＥは、ハンドオーバが完了した後に、ターゲットセルからＬ１シグナリングを受信するためにｅＩＭＴＡ構成情報を使用し得、したがって新しいＴＤＤ構成情報を収集する。
【００７８】
[0095]図９および図１０を参照しながら説明した追加または代替のソリューションは、ＣｏＭＰシナリオ４の不在下でｅＩＭＴＡにより起こる問題を解決することを諒解されたい。しかしながら、ＣｏＭＰシナリオ４に関係する問題を解決するために、いくつかの追加の方策が採用され得る。これらの追加の方策について、図１１〜図１８を参照しながら以下で説明する。
【００７９】
[0096]図１１および図１２は、図７および図８を参照しながら説明した第１のソリューションと、図９および図１０を参照しながら上記で説明した追加または代替のソリューションとの態様を組み合わせるソリューションのさらなる詳細を与える。たとえば、図１１は、仮想セル識別情報を推定し、ＵＥが正しいｅＩＭＴＡ構成情報を有することをターゲットセルが知るまで、仮想サブフレーム上でのＵＥへのトラフィックをスケジュールすることを回避する、ターゲットセルによって実行され得るワイヤレス通信のためのプロセスを示している。また、図１２は、仮想セル識別情報を推定し、ＵＥが正しいｅＩＭＴＡ構成情報を有することをターゲットセルが知るまで、仮想サブフレーム上でのＵＥへのトラフィックをスケジュールすることを回避する、ターゲットセルへのハンドオーバ中にＵＥによって実行され得るワイヤレス通信のためのプロセスを示している。
【００８０】
[0097]図１１を参照すると、ターゲットセルは、ブロック１１００において、ソースセル識別情報とネットワークトポロジー情報とに基づいて仮想セル識別情報を推定する。ブロック１１０２において、ターゲットセルは、推定された仮想セル識別情報に基づいてｅＩＭＴＡ構成情報を生成し得る。ブロック１１０４において、ターゲットセルは、ＴＤＤ構成情報とｅＩＭＴＡ構成情報とを含むハンドオーバコマンドを生成し得る。ブロック１１０６において、ターゲットセルは、前に説明したように、ハンドオーバが完了したと決定し得る。ブロック１１０８において、ターゲットセルは、推定された仮想セル識別情報が正しいかどうかを決定し得る。たとえば、ＵＥがターゲットセルに到着した後に、ターゲットセルは、ブロック１１０８において、ＵＥからＣＳＩ−ＲＳ測定報告を受信し、測定報告に基づいて正しい仮想セル識別情報を決定し、正しい仮想セル識別情報を推定された仮想セル識別情報と比較し、比較の結果に基づいて、推定された仮想セル識別情報が正しいかどうかを決定し得る。比較を実行する際に、ターゲットセルは、正しい仮想セル識別情報に基づいて第２のグループインデックスを生成し、第２のグループインデックスを、推定された仮想セル識別情報から生成された第１のグループインデックスと比較し得る。代替または追加として、ＵＥがターゲットセルに到着した後に、ターゲットセルは、ブロック１１０８において、ＵＥのサウンディング基準信号（ＳＲＳ：sounding reference signal）を測定することなど、１つまたは複数の測定を行い、１つまたは複数の測定値に基づいて正しい仮想セル識別情報を決定し、正しい仮想セル識別情報を推定された仮想セル識別情報と比較し、比較の結果に基づいて、推定された仮想セル識別情報が正しいかどうかを決定し得る。比較を実行する際に、ターゲットセルは、正しい仮想セル識別情報に基づいて第２のグループインデックスを生成し、第２のグループインデックスを、推定された仮想セル識別情報から生成された第１のグループインデックスと比較し得る。ブロック１１０８において、推定された仮想セル識別情報が正しくないとターゲットセルが決定した場合、ターゲットセルは、ブロック１１１０において、第２のグループインデックスなど、補正されたｅＩＭＴＡ構成情報を含んでいるＲＲＣ接続再構成メッセージをＵＥに送信し得る。次いで、ブロック１１１２において、ターゲットセルは、ＵＥが正しいｅＩＭＴＡ構成情報を有することをターゲットセルが知った後に、フレキシブルサブフレーム上でのＵＥへの送信をスケジュールし得る。しかしながら、ブロック１１０８において、推定された仮想セル識別情報が正しいとターゲットセルが決定した場合、ターゲットセルは、ブロック１１１２において、ＵＥが正しいｅＩＭＴＡ構成情報を有するとターゲットセルが知った後に、フレキシブルサブフレーム上でのＵＥへの送信をスケジュールし得る。たとえば、ターゲットセルは、第２のグループインデックスが第１のグループインデックスに一致すると決定したことに応答して、またはＵＥが第２のグループインデックスの受信を肯定応答したことに応答して、フレキシブルサブフレーム上での送信をスケジュールし得る。
【００８１】
[0098]図１２を参照すると、ブロック１２００において、ＵＥは、ＴＤＤ構成情報とｅＩＭＴＡ構成情報とを含んでいるハンドオーバコマンドを受信し得る。ブロック１２００において、ＵＥは、ハンドオーバ中にＵＥによって使用されるべきＰＲＡＣＨリソースを決定するためにＴＤＤ構成情報を使用することを含む、ターゲットセルへのＵＥのハンドオーバを実行し得る。ブロック１２０４において、ＵＥは、前に説明したように、ハンドオーバが完了したと決定し得る。ブロック１２０６において、ＵＥは、ハンドオーバが完了した後に、ターゲットセルの仮想セルのＣＳＩ−ＲＳ測定を実行し、ＣＳＩ−ＲＳ測定報告を生成し、ターゲットセルにＣＳＩ−ＲＳ測定報告を送信し得る。ブロック１２０８において、ＵＥは、それがターゲットセルからＲＲＣ接続再構成メッセージを受信したかどうかを決定し得る。ブロック１２０８において、ＲＲＣ再構成メッセージがハンドオーバの後にターゲットセルから受信されなかったとＵＥが決定した場合、ＵＥは、ブロック１２１２において、Ｌ１シグナリングによってターゲットセルから新しいＴＤＤ構成情報を受信するために、ＵＥがハンドオーバコマンド中で受信したｅＩＭＴＡ構成情報を採用し得る。しかしながら、ブロック１２０８において、ＵＥがターゲットセルからＲＲＣ接続再構成メッセージを受信したとＵＥが決定した場合、ＵＥは、ブロック１２１０において、ハンドオーバが完了した後に、ＵＥがターゲットセルから受信したＲＲＣ接続再構成メッセージから、補正されたｅＩＭＴＡ構成情報を取得し得る。次いで、ブロック１２１２において、ＵＥは、Ｌ１シグナリングによってターゲットセルから新しいＴＤＤ構成情報を受信するために、ＵＥがＲＲＣ接続再構成メッセージ中で受信した補正されたｅＩＭＴＡ構成情報を採用し得る。
【００８２】
[0099]図１１および図１２を参照しながら説明したソリューションは、ｅＩＭＴＡおよびＣｏＭＰ４シナリオ対応ターゲットセルが、ハンドオーバ中にＵＥのためのｅＩＭＴＡとＣｏＭＰとを可能にすることを可能にするが、ＵＥが正しいｅＩＭＴＡ構成情報を有することをそのターゲットセルが知るまで、フレキシブルサブフレーム上でのＵＥへの送信をスケジュールすることを回避することを諒解されたい。第１のソリューションと比較して、この代替形態は、ターゲットセルが、時として、ハンドオーバの後にＵＥにＲＲＣ接続再構成メッセージを送らなければならないことを回避することを可能にする。図１３〜図１８を参照しながら以下で説明する他のソリューションは、ターゲットセルがハンドオーバ準備段階中に正しい仮想セル識別情報を知ることを可能にする。これらのソリューションは、ターゲットセルがハンドオーバ中にＵＥのためのｅＩＭＴＡとＣｏＭＰとを可能にし、ハンドオーバが完了した後に、ＵＥにＲＲＣ接続再構成メッセージを送らなければならないことを回避することを許可する。これらのソリューションはまた、ターゲットセルが、所望される場合、ハンドオーバ中にフレキシブルサブフレーム上でのＵＥへの送信をスケジュールすることを可能にする。たとえば、図１３は、正しい仮想セル識別情報を決定するために、ターゲットセルが、ハンドオーバ準備段階中にＵＥのサウンディング基準信号（ＳＲＳ）を測定することを伴うソリューションを示している。さらに、図１４〜図１６は、ハンドオーバが開始される前に、ＵＥによる、ターゲットセルの仮想セルのチャネル状態情報基準信号の測定を伴うソリューションを示している。また、図１７および図１８は、ハンドオーバが開始される前に、ＵＥによる、ターゲットセルの仮想セルのチャネル状態情報基準信号の測定を伴う代替ソリューションを示している。
【００８３】
[00100]図１３を参照すると、ターゲットセルは、ブロック１３００において、ソースセルから、ターゲットセルへのＵＥのハンドオーバを実行するようにとのハンドオーバ要求を受信し得る。ブロック１３０２において、ターゲットセルは、ブロック１３０２においてターゲットセルによるＵＥのＳＳの測定をガードするためにタイマーを開始することと、次いで、ブロック１３０４においてＵＥのＳＲＳを測定することとによって、要求に応答し得る。ターゲットセルはまた、ブロック１３０６において、ブロック１３０４における測定が完了する前にタイマーが満了したかどうかを決定し得る。ブロック１３０６において、タイマーが満了したとターゲットセルが決定した場合、ターゲットセルは、ブロック１３０２においてタイマーを再開し、ブロック１３０４においてターゲットセルのＳＲＳを再び測定し得る。しかしながら、ブロック１３０６において、タイマーが満了しなかったとターゲットセルが決定した場合、ターゲットセルはＳＲＳの測定に基づいて仮想セル識別情報を決定し得る。次いで、ブロック１３１０において、ターゲットセルは、ｅＩＭＴＡ構成情報を生成し、ハンドオーバコマンド中にｅＩＭＴＡ構成情報を含め得る。
【００８４】
[00101]図１４を参照すると、ソースセルは、ブロック１４００において、ターゲットセルへのＵＥのハンドオーバを実行するようにとのハンドオーバ要求をターゲットセルに送信するという決定を行い得る。ブロック１４０２において、ソースセルは、ターゲットセルがＣｏＭＰシナリオ４をサポートするかどうかを決定し得る。ブロック１４０２において、ターゲットセルがＣｏＭＰシナリオ４をサポートしないとソースセルが決定した場合、ソースセルは、ブロック１４０４において、ハンドオーバ要求を生成し、ブロック１４０６において、ターゲットセルにハンドオーバ要求を送信し得る。しかしながら、ブロック１４０２において、ターゲットセルがＣｏＭＰシナリオ４をサポートするとソースセルが決定した場合、ソースセルは、ブロック１４０８において、ＵＥがターゲットセルの１つまたは複数の仮想セルのＣＳＩ−ＲＳを測定するようにとの要求をＵＥに送信し得る。次いで、ブロック１４１０において、ソースセルは、ＵＥから、ＵＥからのＣＳＩ−ＲＳ測定報告を受信し得る。ブロック１４１２において、ソースセルは、ＣＳＩ  ＲＳ測定報告に基づいて仮想セル識別情報を決定し得る。ブロック１４１４において、ソースセルは、仮想セル識別情報を含むようにハンドオーバ要求を生成し、ブロック１４０６において、ハンドオーバ要求をターゲットセルに送信し得る。
【００８５】
[00102]図１５を参照すると、ＵＥは、ソースセルから、ターゲットセルの１つまたは複数の仮想セルのＣＳＩ−ＲＳを測定するようにとの要求を受信し得る。ブロック１５０２において、ＵＥは、ターゲットセルの１つまたは複数の仮想セルのＣＳＩ−ＲＳを測定し得る。ブロック１５０４において、ＵＥは、ターゲットセルの１つまたは複数の仮想セルの測定されたＣＳＩ−ＲＳに基づいてＣＳＩ−ＲＳ測定報告を生成し得る。ブロック１５０６において、ＵＥは、ＣＳＩ−ＲＳ測定報告をソースセルに送信し得る。
【００８６】
[00103]図１６を参照すると、ターゲットセルは、ブロック１６００において、ターゲットセルへのＵＥのハンドオーバを実行するようにとのハンドオーバ要求を受信し得、要求は仮想セル識別情報を含み得る。ブロック１６０２において、ターゲットセルは、仮想セル識別情報に基づいてｅＩＭＴＡ構成情報を生成し、ハンドオーバコマンド中にｅＩＭＴＡ構成情報を含め得る。
【００８７】
[00104]図１７を参照すると、ソースセルは、ブロック１７００において、ターゲットセルへのＵＥのハンドオーバを実行するようにとのハンドオーバ要求をターゲットセルに送信するという決定を行い得る。ブロック１７０２において、ソースセルは、ターゲットセルがＣｏＭＰシナリオ４をサポートするかどうかを決定し得る。ブロック１７０２において、ターゲットセルがＣｏＭＰシナリオ４をサポートしないとソースセルが決定した場合、ソースセルは、ブロック１７０４において、ハンドオーバ要求を生成し、ブロック１７０６において、ターゲットセルにハンドオーバ要求を送信し得る。しかしながら、ブロック１７０２において、ターゲットセルがＣｏＭＰシナリオ４をサポートするとソースセルが決定した場合、ソースセルは、ブロック１７０８において、ＵＥがターゲットセルの１つまたは複数の仮想セルのＣＳＩ−ＲＳを測定するようにとの要求をＵＥに送信し得る。次いで、ブロック１７１０において、ソースセルは、ＵＥから、ＵＥからのＣＳＩ−ＲＳ測定報告を受信し得る。ブロック１７１２において、ソースセルは、ＣＳＩ−ＲＳ測定報告の少なくとも一部を含むようにハンドオーバ要求を生成し得、ブロック１７０６において、ハンドオーバ要求をターゲットセルに送信し得る。
【００８８】
[00105]図１８を参照すると、ターゲットセルは、ブロック１８００において、ターゲットセルへのＵＥのハンドオーバを実行するようにとのハンドオーバ要求を受信し得、要求はＣＳＩ−ＲＳ測定報告の少なくとも一部を含み得る。ブロック１８０２において、ターゲットセルは、ＣＳＩ  ＲＳ測定報告の少なくとも一部に基づいて仮想セル識別情報を決定し得る。ブロック１８０４において、ターゲットセルは、仮想セル識別情報に基づいてｅＩＭＴＡ構成情報を生成し、ハンドオーバコマンド中にｅＩＭＴＡ構成情報を含め得る。
【００８９】
[00106]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９０】
[00107]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００９１】
[00108]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９２】
[00109]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として存在し得る。
【００９３】
[00110]１つまたは複数の例示的な設計では、説明した機能は、ハードウェア、ソフトウェア、ファームウェア、またはそれらの組合せで実装され得る。ソフトウェアで実装する場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００９４】
[00111]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９５】
[00112]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、前記方法が、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを備える、方法。
［Ｃ２］
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、Ｃ１に記載の方法。
［Ｃ３］
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するための前記ＵＥに関するダウンリンク基準構成、または
ｅＩＭＴＡ固有アップリンク電力制御パラメータのうちの少なくとも１つを含む、Ｃ１に記載の方法。
［Ｃ４］
前記ｅＩＭＴＡ構成情報を生成することが、
ソースセル識別情報とワイヤレスネットワークトポロジー情報とに基づいて仮想セル識別情報を推定することと、
前記推定された仮想セル識別情報に基づいて前記ｅＩＭＴＡ構成情報を生成することとを含む、Ｃ１に記載の方法。
［Ｃ５］
前記ハンドオーバが完了した後に、前記推定された仮想セル識別情報が正しくないと決定することと、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信することとをさらに備える、Ｃ４に記載の方法。
［Ｃ６］
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しくないと前記決定することが、前記ＣＳＩ−ＲＳ測定報告に少なくとも部分的に基づく、Ｃ５に記載の方法。
［Ｃ７］
前記ハンドオーバが完了した後に、前記ＵＥのサウンディング基準信号（ＳＲＳ）を測定することをさらに備え、
ここにおいて、前記推定された仮想セル識別情報が正しくないと前記決定することが、前記ＵＥの前記ＳＲＳを前記測定することの結果に少なくとも部分的に基づく、Ｃ５に記載の方法。
［Ｃ８］
前記補正されたｅＩＭＴＡ構成情報の送信の後にフレキシブルサブフレーム上での前記ＵＥへの送信をスケジュールすることをさらに備える、Ｃ５に記載の方法。
［Ｃ９］
前記推定された仮想セル識別情報が正しいと決定することと、
前記推定された仮想セル識別情報が正しいと前記決定することの後にフレキシブルサブフレーム上での前記ＵＥへの送信をスケジュールすることとをさらに備える、Ｃ５に記載の方法。
［Ｃ１０］
前記ハンドオーバが完了した後に前記ＵＥから、チャネル状態情報基準信号（ＣＳＩ−ＲＳ）測定報告を含んでいるメッセージを受信することをさらに備え、
ここにおいて、前記推定された仮想セル識別情報が正しいと前記決定することが、前記ＣＳＩ−ＲＳ測定報告に少なくとも部分的に基づく、Ｃ９に記載の方法。
［Ｃ１１］
前記ハンドオーバが完了した後に、前記ＵＥのサウンディング基準信号（ＳＲＳ）を測定することをさらに備え、
ここにおいて、前記推定された仮想セル識別情報が正しいと前記決定することが、前記ＵＥの前記ＳＲＳを前記測定することの結果に少なくとも部分的に基づく、Ｃ９に記載の方法。
［Ｃ１２］
前記ターゲットセルによって、前記ＵＥのサウンディング基準信号（ＳＲＳ）を測定することと、
前記ＵＥの前記ＳＲＳを前記測定することに基づいて仮想セル識別情報を決定することとをさらに備え、
ここにおいて、前記ｅＩＭＴＡ構成情報を前記生成することが、前記決定された仮想セル識別情報に基づいて前記ｅＩＭＴＡ構成情報を生成することを含む、Ｃ１に記載の方法。
［Ｃ１３］
前記ＵＥの前記ＳＲＳを前記測定することをガードするタイマーを採用することをさらに備える、Ｃ１２に記載の方法。
［Ｃ１４］
前記ターゲットセルによって、前記ターゲットセルへの前記ＵＥの前記ハンドオーバを実行するようにとのハンドオーバ要求を受信すること、ここにおいて、前記ハンドオーバ要求が仮想セル識別情報を含んでいる、をさらに備え、
ここにおいて、前記ｅＩＭＴＡ構成情報を前記生成することが、前記ハンドオーバ要求中に含まれている前記仮想セル識別情報に基づいて前記ｅＩＭＴＡ構成情報を生成することを含む、Ｃ１に記載の方法。
［Ｃ１５］
前記ターゲットセルによって、前記ターゲットセルへの前記ＵＥの前記ハンドオーバを実行するようにとのハンドオーバ要求を受信することと、ここにおいて、前記ハンドオーバ要求が、前記ターゲットセルの１つまたは複数の仮想セルの測定されたチャネル状態情報基準信号（ＣＳＩ−ＲＳ）に基づくＣＳＩ−ＲＳ測定報告の少なくとも一部を含んでおり、
前記ターゲットセルによって、前記ＣＳＩ−ＲＳ測定報告の前記少なくとも一部に基づいて仮想セル識別情報を決定することとをさらに備え、
ここにおいて、前記ｅＩＭＴＡ構成情報を前記生成することが、前記決定された仮想セル識別情報に基づいて前記ｅＩＭＴＡ構成情報を生成することを含む、Ｃ１に記載の方法。
［Ｃ１６］
ワイヤレス通信のための方法であって、前記方法は、
ユーザ機器（ＵＥ）によって、ターゲットセルへの前記ＵＥのハンドオーバを実行するためのハンドオーバコマンドを受信することと、ここにおいて、前記ハンドオーバコマンドは、前記ＵＥがレイヤ１シグナリングによって前記ターゲットセルから新しい時分割複信（ＴＤＤ）構成情報を受信するための拡張干渉緩和およびトラフィック適応（ｅＩＭＴＡ）構成情報とＴＤＤ構成情報とを含んでおり、
前記ハンドオーバ中に前記ＵＥによって使用されるべき物理ランダムアクセスチャネル（ＰＲＡＣＨ）リソースを決定するために、前記ＵＥによって、前記ＴＤＤ構成情報を採用することと、
前記ハンドオーバが完了した後に、前記レイヤ１シグナリングによって前記ターゲットセルから前記新しいＴＤＤ構成情報を受信するために、前記ＵＥによって、前記ｅＩＭＴＡ構成情報を採用することとを備える、方法。
［Ｃ１７］
前記ＵＥによって、前記ハンドオーバが完了した後に前記ターゲットセルから、補正されたｅＩＭＴＡ構成情報を含んでいる無線リソース制御（ＲＲＣ）接続再構成メッセージを受信することをさらに備え、
ここにおいて、前記新しいＴＤＤ構成情報を受信するために前記ｅＩＭＴＡ構成情報を採用することが、前記新しいＴＤＤ構成情報を受信するために前記補正されたｅＩＭＴＡ構成情報を採用することを含む、Ｃ１６に記載の方法。
［Ｃ１８］
ワイヤレス通信のための装置であって、前記装置は、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成するための手段と、
前記ターゲットセルによって、前記ターゲットセルへの前記ＵＥのハンドオーバを実行するためのハンドオーバコマンドを生成するための手段と、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信するための手段と、
前記ターゲットセルによって、前記ハンドオーバが完了した後にレイヤ１シグナリングによって前記新しいＴＤＤ構成情報を前記ＵＥに送信するための手段とを備える、装置。
［Ｃ１９］
前記ｅＩＭＴＡ構成情報が、
グループ共通無線ネットワーク一時識別子（ＲＮＴＩ）、
グループインデックス、または
前記ＵＥが前記レイヤ１シグナリング中でセルを区別するためのキャリアアグリゲーションビットマップのうちの１つを含む、Ｃ１８に記載の装置。
［Ｃ２０］
前記ｅＩＭＴＡ構成情報は、
前記ＵＥが、ハンドオーバ中およびハンドオーバ後にダウンリンクハイブリッド自動再送要求（ＨＡＲＱ）シグナリングのタイムラインを決定するためのダウンリンク基準構成、または
ｅＩＭＴＡ固有アップリンク電力制御パラメータのうちの少なくとも１つを含む、Ｃ１８に記載の装置。
［Ｃ２１］
前記ｅＩＭＴＡ構成情報を生成するための前記手段は、
ソースセル識別情報とワイヤレスネットワークトポロジー情報とに基づいて仮想セル識別情報を推定するための手段と、
前記推定された仮想セル識別情報に基づいて前記ｅＩＭＴＡ構成情報を生成するための手段と、
前記ハンドオーバが完了した後に、前記推定された仮想セル識別情報が正しくないと決定するための手段と、
前記推定された仮想セル識別情報が正しくないという前記決定に応答して、前記ＵＥに、補正されたｅＩＭＴＡ構成情報を含んでいる無線リソース制御（ＲＲＣ）接続再構成メッセージを送信するための手段と、
前記ハンドオーバが完了した後に前記ＵＥから、チャネル状態情報基準信号（ＣＳＩ−ＲＳ）測定報告を含んでいるメッセージを受信するための手段とを含み、
ここにおいて、前記推定された仮想セル識別情報が正しくないと決定するための前記手段は、前記ＣＳＩ−ＲＳ測定報告に少なくとも部分的に基づいて、前記推定された仮想セル識別情報が正しくないと決定するための手段を含む、Ｃ１８に記載の装置。
［Ｃ２２］
前記ハンドオーバが完了した後に、前記ＵＥのサウンディング基準信号（ＳＲＳ）を測定するための手段をさらに備え、
ここにおいて、前記推定された仮想セル識別情報が正しくないと決定するための前記手段は、前記ＵＥの前記ＳＲＳを前記測定することの結果に少なくとも部分的に基づいて、前記推定された仮想セル識別情報が正しくないと決定するための前記手段を含む、Ｃ２１に記載の装置。
［Ｃ２３］
前記補正されたｅＩＭＴＡ構成情報の送信の後にフレキシブルサブフレーム上での前記ＵＥへの送信をスケジュールするための手段をさらに備える、Ｃ２１に記載の装置。
［Ｃ２４］
前記推定された仮想セル識別情報が正しいと決定するための手段と、
前記推定された仮想セル識別情報が正しいと前記決定することの後にフレキシブルサブフレーム上での前記ＵＥへの送信をスケジュールするための手段とをさらに備える、Ｃ２１に記載の装置。
［Ｃ２５］
前記ハンドオーバが完了した後に前記ＵＥから、チャネル状態情報基準信号（ＣＳＩ−ＲＳ）測定報告を含んでいるメッセージを受信するための手段をさらに備え、
ここにおいて、前記推定された仮想セル識別情報が正しいと決定するための前記手段は、前記ＣＳＩ−ＲＳ測定報告に少なくとも部分的に基づいて、前記推定された仮想セル識別情報が正しいと決定するための手段を含む、Ｃ２４に記載の装置。
［Ｃ２６］
前記ハンドオーバが完了した後に、前記ＵＥのサウンディング基準信号（ＳＲＳ）を測定するための手段をさらに備え、
ここにおいて、前記推定された仮想セル識別情報が正しいと決定するための前記手段は、前記ＵＥの前記ＳＲＳを前記測定することの結果に少なくとも部分的に基づいて、前記推定された仮想セル識別情報が正しいと決定するための手段を含む、Ｃ２４に記載の装置。
［Ｃ２７］
前記ターゲットセルによって、前記ＵＥのサウンディング基準信号（ＳＲＳ）を測定するための手段と、
前記ＵＥの前記ＳＲＳの前記測定をガードするためにタイマーを採用するための手段と、
前記ＵＥの前記ＳＲＳの前記測定に基づいて仮想セル識別情報を決定するための手段とをさらに備え、
ここにおいて、前記ｅＩＭＴＡ構成情報を生成するための前記手段が、前記決定された仮想セル識別情報に基づいて前記ｅＩＭＴＡ構成情報を生成するための手段を含む、Ｃ１８に記載の装置。
［Ｃ２８］
前記ターゲットセルによって、前記ターゲットセルへの前記ＵＥの前記ハンドオーバを実行するようにとのハンドオーバ要求を受信するための手段、ここにおいて、前記ハンドオーバ要求が仮想セル識別情報を含んでいる、をさらに備え、
ここにおいて、前記ｅＩＭＴＡ構成情報を生成するための前記手段が、前記ハンドオーバ要求中に含まれている前記仮想セル識別情報に基づいて前記ｅＩＭＴＡ構成情報を生成するための手段を含む、Ｃ１８に記載の装置。
［Ｃ２９］
前記ターゲットセルによって、前記ターゲットセルへの前記ＵＥの前記ハンドオーバを実行するようにとのハンドオーバ要求を受信するための手段と、ここにおいて、前記ハンドオーバ要求が、前記ターゲットセルの１つまたは複数の仮想セルの測定されたチャネル状態情報基準信号（ＣＳＩ−ＲＳ）に基づくＣＳＩ−ＲＳ測定報告の少なくとも一部を含んでおり、
前記ターゲットセルによって、前記ＣＳＩ−ＲＳ測定報告の前記少なくとも一部に基づいて仮想セル識別情報を決定するための手段とをさらに備え、
ここにおいて、前記ｅＩＭＴＡ構成情報を生成するための前記手段が、前記決定された仮想セル識別情報に基づいて前記ｅＩＭＴＡ構成情報を生成するための手段を含む、Ｃ１８に記載の装置。
［Ｃ３０］
ワイヤレス通信のために構成された装置であって、
少なくとも１つのプロセッサと、
前記少なくとも１つのプロセッサに結合されたメモリとを備え、
ここにおいて、前記少なくとも１つのプロセッサは、
ユーザ機器（ＵＥ）がターゲットセルからレイヤ１シグナリングによって新しいＴＤＤ構成情報を受信するために、前記ターゲットセルによって、拡張干渉緩和およびトラフィック適応（ｅＩＭＴＡ）構成情報を生成することと、
前記ターゲットセルによって、前記ターゲットセルへの前記ＵＥのハンドオーバを実行するためのハンドオーバコマンドを生成することと、ここにおいて、前記ハンドオーバコマンドが、時分割複信（ＴＤＤ）構成情報と前記ｅＩＭＴＡ構成情報とを含んでおり、
前記ターゲットセルによって、前記ハンドオーバコマンドを送信することと、
前記ターゲットセルによって、前記ハンドオーバが完了した後にレイヤ１シグナリングによって前記新しいＴＤＤ構成情報を前記ＵＥに送信することとを行うように構成された、装置。
【図１】
0006479832.tif 000002
【図２】
0006479832.tif 000003
【図３】
0006479832.tif 000004
【図４】
0006479832.tif 000005
【図５】
0006479832.tif 000006
【図６】
0006479832.tif 000007
【図７】
0006479832.tif 000008
【図８】
0006479832.tif 000009
【図９】
0006479832.tif 000010
【図１０】
0006479832.tif 000011
【図１１】
0006479832.tif 000012
【図１２】
0006479832.tif 000013
【図１３】
0006479832.tif 000014
【図１４】
0006479832.tif 000015
【図１５】
0006479832.tif 000016
【図１６】
0006479832.tif 000017
【図１７】
0006479832.tif 000018
【図１８】
0006479832.tif 000019